(57)【要約】      （修正有）【課題】画面を複数の領域に分割し複数の番組を同時に表示する機能と録画機能を有したテレビジョン受信機で、音声出力画面選択の他に録画画面選択も出来るリモコンを提供する。【解決手段】リモコンに表示部を設け、この表示部にタッチセンサを設けると共に画面の分割態様と同様の分割をし、それぞれの分割領域に画面に表示されている番組のチャンネル番号を表示し、その分割領域をタッチすると、その部分の番組を録画するようにした。【選択図】図２
2008042520.tif 000002
【特許請求の範囲】
【請求項１】
放送受信手段と、その放送を録画する録画手段と、受信した放送番組を複数同時に表示する画面分割手段と、を有した放送受信記録装置と、この放送受信記録装置を制御するリモートコントロール装置と、からなる放送受信記録システムにおいて、
前記リモートコンロトール手段は、
前記分割された画面のどの画面の音声を出力するかを選択する選択手段と、
タッチセンサを有し、前記分割された画面と同様の分割表示をする表示手段と、
を有し、タッチされたところの分割表示された領域であって、前記放送受信記録装置の分割された画面に対応する放送番組を録画するように前記放送受信記録装置を制御することを特徴とする放送受信記録システム。
【請求項２】
複数の放送受信手段と、インターネット接続手段と、その放送またはインターネットのアドレスを録画または記録する録画手段と、受信した放送番組を複数同時に表示する画面分割手段と、を有した放送受信記録装置と、この放送受信記録装置を制御するリモートコントロール装置と、からなる放送受信記録システムにおいて、
前記放送受信記録装置は、インターネットのアドレスとしてドメイン名を記録し、
前記リモートコンロトール手段は、
前記分割された画面のどの画面の音声を出力するかを選択する選択手段と、
タッチセンサを有し、前記分割された画面と同様の分割表示をする表示手段と、
を有し、タッチされたところの分割表示された領域であって、前記放送受信記録装置の分割された画面に対応する放送番組を録画するように前記放送受信記録装置を制御することを特徴とする放送受信記録システム。
【請求項３】
請求項２に記載の放送受信記録システムにおいて、
前記ドメイン名として、組織名を示す情報のみを表示することを特徴とする放送受信記録システム。
【請求項４】
被制御機器の画面表示態様を選択する画面表示制御手段と、
タッチセンサを有した表示手段と、
を具備し、前記表示手段は、前記画面表示制御手段の選択に応じた表示態様とすることを特徴とするリモートコントロール装置。
【請求項５】
複数の放送受信手段と、第一の表示部とを有し、該第一の表示部に前記複数の放送受信手段で受信された放送の一部または全部を複数の表示態様で同時に表示する機能と、前記放送受信手段で受信された放送の一部または全部を録画する機能を有した放送受信記録装置を操作するリモートコントロール装置において、
第二の表示部を有し、
該第二の表示部は、タッチセンサを有し、前記第一の表示部の表示態様と同様の表示態様で表示することを特徴とするリモートコントロール装置。
【請求項６】
請求項５に記載のリモートコントロール装置において、
前記放送受信記録装置に対して、前記第二の表示部のタッチされた部分に対応する放送受信記録装置の第一の表示部の分割画面に表示された放送を録画するように制御することを特徴とするリモートコントロール装置。
【請求項７】
放送受信手段と、その放送を録画する録画手段と、受信した放送番組を複数同時に表示する画面分割手段と、を有した放送受信記録装置と、この放送受信記録装置を制御するリモートコントロール装置と、からなる放送受信記録システムにおいて、
前記リモートコンロトール手段は、
前記分割された画面のどの画面を録画するかを選択する選択手段と、
タッチセンサを有し、前記分割された画面と同様の分割表示をする表示手段と、
を有し、タッチされたところの分割表示された領域であって、前記放送受信記録装置の分割された画面に対応する放送番組の音声を出力するように前記放送受信記録装置を制御することを特徴とする放送受信記録システム。
【請求項８】
複数の放送受信手段と、インターネット接続手段と、その放送またはインターネットのアドレスを録画または記録する録画手段と、受信した放送番組を複数同時に表示する画面分割手段と、を有した放送受信記録装置と、この放送受信記録装置を制御するリモートコントロール装置と、からなる放送受信記録システムにおいて、
前記放送受信記録装置は、インターネットのアドレスとしてドメイン名を記録し、
前記リモートコンロトール手段は、
前記分割された画面のどの画面を録画するかを選択する選択手段と、
タッチセンサを有し、前記分割された画面と同様の分割表示をする表示手段と、
を有し、タッチされたところの分割表示された領域であって、前記放送受信記録装置の分割された画面に対応する放送番組の音声を出力するように前記放送受信記録装置を制御することを特徴とする放送受信記録システム。
【発明の詳細な説明】
【技術分野】
【０００１】
本発明は、テレビジョン放送などの放送を受信し、記録するための放送受信記録装置およびそのためのリモートコントロール装置（以下、リモコンという）に係るものである。
【背景技術】
【０００２】
近時のテレビジョン受信機は、大型化が進み、これに伴い、画面を複数の領域に分割して表示するマルチ画面機能を有したものが存在する。
【０００３】
また、ハードディスクなどの記録メディアの小型化、低価格化が進み、テレビジョン受信機にこれらの記録メディアを内蔵するものが存在する。
【０００４】
従来、このようなマルチ画面表示においては、どの画面からの音声を出力させるかを使用者に選択させていた。ここで、音声出力を選択した画面の番組と録画したい画面の番組とが一致するとは限らず、異なる場合は、特許文献１に開示されているように音声出力手段とは別に、録画画面選択手段を設ける必要がある。
【特許文献１】特開平０８−２０５０３０号公報
【発明の開示】
【発明が解決しようとする課題】
【０００５】
従来の技術では、マルチ画面機能及び録画機能を有したテレビジョン受信機（放送受信記録装置）において、音声出力画面と録画画面とをそれぞれ設定するためには、使用者に煩わしい操作を負担させていた。
【課題を解決するための手段】
【０００６】
本発明は、上記のような課題を解決するため、以下のような手段を講じたものである。
【０００７】
即ち、本発明に係る放送受信記録システムは、放送受信手段と、その放送を録画する録画手段と、受信した放送番組を複数同時に表示する画面分割手段と、を有した放送受信記録装置と、この放送受信記録装置を制御するリモートコントロール装置と、からなる放送受信記録システムにおいて、前記リモートコンロトール手段は、前記分割された画面のどの画面の音声を出力するかを選択する選択手段と、タッチセンサを有し、前記分割された画面と同様の分割表示をする表示手段と、を有し、タッチされたところの分割表示された領域であって、前記放送受信記録装置の分割された画面に対応する放送番組を録画するように前記放送受信記録装置を制御するものである。
【０００８】
また、本発明に係る放送受信記録システムは、複数の放送受信手段と、インターネット接続手段と、その放送またはインターネットのアドレスを録画または記録する録画手段と、受信した放送番組を複数同時に表示する画面分割手段と、を有した放送受信記録装置と、この放送受信記録装置を制御するリモートコントロール装置と、からなる放送受信記録システムにおいて、前記放送受信記録装置は、インターネットのアドレスとしてドメイン名を記録し、前記リモートコンロトール手段は、前記分割された画面のどの画面の音声を出力するかを選択する選択手段と、タッチセンサを有し、前記分割された画面と同様の分割表示をする表示手段と、を有し、タッチされたところの分割表示された領域であって、前記放送受信記録装置の分割された画面に対応する放送番組を録画するように前記放送受信記録装置を制御するものである。
【０００９】
ここで、前記ドメイン名として、組織名を示す情報のみを表示しても良い。
【００１０】
また、本発明に係るリモートコントロール装置は、被制御機器の画面表示態様を選択する画面表示制御手段と、タッチセンサを有した表示手段と、を具備し、前記表示手段は、前記画面表示制御手段の選択に応じた表示態様とするものである。
【００１１】
また、本発明に係るリモートコントロール装置は、複数の放送受信手段と、第一の表示部とを有し、該第一の表示部に前記複数の放送受信手段で受信された放送の一部または全部を複数の表示態様で同時に表示する機能と、前記放送受信手段で受信された放送の一部または全部を録画する機能を有した放送受信記録装置を操作するリモートコントロール装置において、第二の表示部を有し、該第二の表示部は、タッチセンサを有し、前記第一の表示部の表示態様と同様の表示態様で表示するものである。
【００１２】
ここで、前記放送受信記録装置に対して、前記第二の表示部のタッチされた部分に対応する放送受信記録装置の第一の表示部の分割画面に表示された放送を録画するように制御するものである。
【００１３】
また、本発明に係る放送受信記録システムは、放送受信手段と、その放送を録画する録画手段と、受信した放送番組を複数同時に表示する画面分割手段と、を有した放送受信記録装置と、この放送受信記録装置を制御するリモートコントロール装置と、からなる放送受信記録システムにおいて、前記リモートコンロトール手段は、前記分割された画面のどの画面を録画するかを選択する選択手段と、タッチセンサを有し、前記分割された画面と同様の分割表示をする表示手段と、を有し、タッチされたところの分割表示された領域であって、前記放送受信記録装置の分割された画面に対応する放送番組の音声を出力するように前記放送受信記録装置を制御するものである。
【００１４】
或いは、本発明に係る放送受信記録システムは、複数の放送受信手段と、インターネット接続手段と、その放送またはインターネットのアドレスを録画または記録する録画手段と、受信した放送番組を複数同時に表示する画面分割手段と、を有した放送受信記録装置と、この放送受信記録装置を制御するリモートコントロール装置と、からなる放送受信記録システムにおいて、前記放送受信記録装置は、インターネットのアドレスとしてドメイン名を記録し、前記リモートコンロトール手段は、前記分割された画面のどの画面を録画するかを選択する選択手段と、タッチセンサを有し、前記分割された画面と同様の分割表示をする表示手段と、を有し、タッチされたところの分割表示された領域であって、前記放送受信記録装置の分割された画面に対応する放送番組の音声を出力するように前記放送受信記録装置を制御するものである。
【発明の効果】
【００１５】
本発明によれば、マルチ画面機能及び録画機能を有したテレビジョン受信機（放送受信記録装置）において、音声出力画面と録画画面とをそれぞれ別々に（独立に）容易に設定することができる。
【発明を実施するための最良の形態】
【００１６】
図１は、本発明に係る放送受信記録装置用のリモコンの外観図である。
【００１７】
図１において、１０１は表示部、１０２はチャンネル選択ボタン、１０３は画面表示切換ボタン、１０４は画面選択などのためのカーソル移動用の十字キーである。
【００１８】
また、図２は、図１のリモコンによって、放送受信記録装置（例えば、録画機能付のテレビジョン受信機）を操作するイメージ図である。
【００１９】
図２において、２０１は本発明に係るリモコン、２０２はテレビジョン受信機である。
【００２０】
テレビジョン受信機２０２は、画面を複数の領域に分割して表示する機能を有し、複数のテレビジョン受信チューナ及びインターネット接続機能を有しているものとする。加えて、テレビジョン受信機２０２は、ハードディスクやＤＶＤ、半導体メモリなどを記録メディアとする録画機能を有するものとする。
【００２１】
図２では、例として、テレビジョン受信機２０２の画面を３分割し、チャンネル番号１０１（ＴＶ１）、２１１（ＴＶ２）のテレビ番組を表示するとともに、インターネットのＷＥＢ画面を表示した状態を示している。
【００２２】
即ち、２０３は第一の画面領域であって、チャンネル番号１０１のテレビ番組ＴＶ１が表示されている。また、２０４は第二の画面領域であって、チャンネル番号２１１のテレビ番組ＴＶ２が表示されている。更に、２０５は第三の画面領域であって、インターネットのＷＥＢブラウザが表示されている。
【００２３】
テレビジョン受信機の画面構成を図２のように３画面に表示するか、或いは、１画面（又は２画面）で表示するかは、リモコン２０１の画面表示切換ボタン１０３により操作される。即ち、画面表示切換ボタン１０３により、テレビジョン受信機の画面表示態様を切換えている。
【００２４】
ここで、例えば、テレビジョン受信機の画面構成を図２のように表示した場合、リモコンの表示部１０１には、その画面構成と同様の構成の表示をする。
【００２５】
即ち、リモコンの表示部１０１の表示を３分割し、第一の表示領域２０６、第二の表示領域２０７、第三の表示領域２０８としている。
【００２６】
テレビジョン受信機の画面構成が１画面（又は２画面）に切換えられた場合は、リモコンの表示部１０１の表示も１表示（又は２表示）に切換えられる。
【００２７】
そして、テレビジョン受信機の画面構成に対応したリモコンの表示部１０１の表示構成の領域にチャンネル番号またはＷＥＢのアドレス（ドメイン名）を表示する。
【００２８】
図２の例では、テレビジョン受信機の第一の画面領域２０３にはチャンネル番号１０１のテレビ番組ＴＶ１が表示されているから、リモコンの表示部１０１の第一の表示領域２０６にはチャンネル番号として「ＣＨ１０１」が表示される。同様に、テレビジョン受信機の第二の画面領域２０４にはチャンネル番号２１１のテレビ番組ＴＶ２が表示されているから、リモコンの表示部１０１の第二の表示領域２０７にはチャンネル番号として「ＣＨ２１１」が表示される。更に、テレビジョン受信機の第三の画面領域２０５にはインターネットのＷＥＢブラウザが表示されているから、リモコンの表示部１０１の第三の表示領域２０８にはＷＥＢアドレスとして「ドメイン名」が表示される。
【００２９】
尚、ドメイン名は、「国別コード」、「組織種別コード」、「組織名」から構成される。例えば、「ＷＷＷ．ａｂｃｄ．ｃｏ．ｊｐ」というドメイン名では、「ａｂｃｄ」が「組織名」、「ｃｏ」が「組織種別コード（この場合は会社組織を示している）」、「ｊｐ」が「国別コード（この場合は日本国を示している）」となる。
【００３０】
ドメイン名の全てを表示しても良いが、その場合、表示が煩雑になる虞があるため、「組織名」の部分のみを表示するのが好ましい。「組織名」がそのＷＥＢページの内容と最も良く関連しているからである。
【００３１】
また、図２の場合のように、テレビジョン放送とインターネットのＷＥＢとを同時に表示する場合は、その信号のソース（テレビジョン放送、インターネットなど）を明示する表示をチャンネル番号（又はドメイン名）と併記しても良い。
【００３２】
例えば、テレビジョン受信機の第一の画面領域２０３には「地上デジタル放送」のチャンネル番号１０１のテレビ番組ＴＶ１が表示されており、テレビジョン受信機の第二の画面領域２０４には「ＢＳデジタル放送」のチャンネル番号２１１のテレビ番組ＴＶ２が表示されており、テレビジョン受信機の第三の画面領域２０５には「インターネット」のＷＥＢブラウザが表示されている場合は、リモコンの表示部１０１の第一の表示領域２０６には「地上−Ｄ：ＣＨ１０１」と表示し、リモコンの表示部１０１の第二の表示領域２０７には「ＢＳ−Ｄ：ＣＨ２１１」と表示し、リモコンの表示部１０１の第三の表示領域２０８には「ＩＮＴ：ドメイン名」と表示する。
【００３３】
ここで、「地上−Ｄ」は、地上デジタル放送を意味する表示であり、「ＢＳ−Ｄ」は、ＢＳデジタル放送を意味する表示であり、「ＩＮＴ」は、インターネットを意味する表示であるとする。
【００３４】
ここで、音声の出力されている画面がどの画面であるかをユーザに明示するため、画面上にマーク２０９を示している。
【００３５】
分割された複数の画面の中のどの画面の番組の音声を出力させるかは、十字キー１０４で画面上のカーソル２１０を移動させ選択する。
【００３６】
この音声出力画面選択とは別に録画画面選択はリモコンの表示部に表示された所定の領域の画面の部分をタッチすることで行なう。即ち、チャンネル番号ＣＨ２１１の番組を録画したい場合は、リモコンの表示部のチャンネル番号ＣＨ２１１が表示されている領域２０７をタッチする。また、ＷＥＢ画面２０５を記録したい場合は、ドメイン名が表示されている領域２０８をタッチすることで、そのドメイン名が記録される。
【００３７】
その様な機能を実現するため、リモコンの表示部１０１にはタッチセンサが設けられている。
【００３８】
尚、図３にテレビジョン受信機の画面構成を２画面にした場合の例を示している。
【００３９】
ここでは、音声の出力されている画面がどの画面であるかをユーザに明示するためのマーク３０１と共に、録画を選択した画面を明示するため、画面上にマーク３０２を表示している。
【００４０】
図４は、本発明に係るリモコンのブロック図である。
【００４１】
図４において、４０１は制御手段、４０２はチャンネル選択ボタン群（及び、ＷＥＢアドレス指定のための文字入力ボタン群）、４０３は画面表示切換ボタン、４０４は表示手段とタッチセンサ、４０５はメモリ、４０６はリモコンコード送信手段である。制御手段４０１は具体的にはＣＰＵなどで実現される。
【００４２】
画面表示切換ボタン４０３で画面表示態様の切換えの指示が出されると、その情報が制御手段４０１に入力される。制御手段４０１は、それに応じてリモコンコード送信手段４０６からテレビジョン受信機に対して画面表示切換えのコードを送信し、それと共に、表示手段４０４の表示をテレビジョン受信機の画面表示態様と同様の表示態様に切換える。
【００４３】
また、チャンネル選択ボタン群４０２によりチャンネル番号（又はＷＥＢアドレス）が入力されると、その情報も制御手段４０１に入力され、リモコンコード送信手段４０６からテレビジョン受信機に対してチャンネル選択のコードを送信し、それと共に、表示手段４０４に選択されたチャンネル番号（及びＷＥＢアドレス）を表示する。
【００４４】
また、表示手段４０４の所定の領域がタッチされると録画を指示するためのリモコンコードが送信される。
【００４５】
尚、以上説明した、音声出力画面選択手段と、録画画面選択手段はその実現手段を逆にしても良い。
【００４６】
即ち、リモコンの表示部１０１の所定の領域をタッチすることで音声出力画面を選択し、十字キー１０４で画面上のカーソル２１０を移動させ録画画面を選択するようにしても良い。
【図面の簡単な説明】
【００４７】
【図１】本発明にかかるリモートコントロール装置の外観図である。
【図２】本発明にかかる放送受信記録装置の観念図である。
【図３】本発明にかかる放送受信記録装置の観念図である。
【図４】本発明にかかるリモートコントロール装置のブロック図である。
【符号の説明】
【００４８】
１０１  リモートコントロール装置の表示部
１０２  チャンネル選択ボタン
１０３  画面表示切換えボタン
１０４  十字キー
２０１  リモートコントロール装置
２０２  テレビジョン受信機
２０３  第一の画面分割領域
２０４  第二の画面分割領域
２０５  第三の画面分割領域
２０６  第一の表示分割領域
２０７  第二の表示分割領域
２０８  第三の表示分割領域
２０９  音声出力マーク
２１０  カーソル
４０１  制御手段
４０２  チャンネル選択手段
４０３  画面表示切換えボタン
４０４  表示手段／タッチセンサ
４０５  メモリ
４０６  リモコンコード送信手段
【図１】
2008042520.tif 000003
【図２】
2008042520.tif 000004
【図３】
2008042520.tif 000005
【図４】
2008042520.tif 000006